(57)【要約】【課題】２つの表示部を備えた撮像装置において、撮像がうまくいったかどうかの確認と連続的な撮影とを両立できるようにする。【解決手段】撮像素子１０が被写体から受光した光に基づいて画像データＤ１を生成する撮像動作を行う撮像装置であって、画像データＤ１に基づく画像を表示する第１表示部３０と、画像データＤ１に基づく画像を第１表示部３０よりも大きく表示する第２表示部４０と、上記撮像動作で生成された画像データＤ１を記憶部５０に読み書きする制御部２７と、撮像素子１０が受光した光に基づいた動画像を第１表示部３０に表示し、動画像の外部に記憶部５０から読み出した画像データに基づく画像を合成して第２表示部４０に表示する表示制御部２０と、具備する。【選択図】図２
2011120060.tif 000002
【特許請求の範囲】
【請求項１】
撮像素子が被写体から受光した光に基づいて画像データを生成する撮像動作を行う撮像装置であって、
画像データに基づく画像を表示する第１の表示部と、
画像データに基づく画像を上記第１の表示部よりも大きく表示する第２の表示部と、
上記撮像動作で生成された画像データを記憶部に読み書きする読書部と、
上記撮像素子が受光した光に基づいた動画像を上記第１の表示部に表示し、動画像の外部に上記記憶部から読み出した画像データに基づく画像を合成して上記第２の表示部に表示する表示制御部と、
具備することを特徴とする撮像装置。
【請求項２】
上記第２の表示部は上記第１の表示部よりも縦横比が横長であり、
上記表示制御部は、上記動画像の左右少なくとも一方の外部に上記記憶部から読み出した画像データに基づく画像を合成して上記第２の表示部に表示する請求項１記載の撮像装置。
【請求項３】
上記第２の表示部は上記第１の表示部よりも縦横比が縦長であり、
上記表示制御部は、上記動画像の上下少なくとも一方の外部に上記記憶部から読み出した画像データに基づく画像を合成して上記第２の表示部に表示する請求項１又は請求項２に記載の撮像装置。
【請求項４】
撮像素子が被写体から受光した光に基づいて画像データを生成する撮像動作を行う撮像方法であって、
上記撮像動作で生成された画像データを記憶部に書込む工程と、
上記撮像素子が受光した光に基づいた動画像を第１の表示部に表示する工程と、
上記記憶部から上記撮像動作で生成された画像データを読出す工程と、
第２の表示部に上記第１の表示部よりも大きく動画像を表示しつつ該第２の表示部に表示される動画像の外部に上記記憶部から読み出した画像データに基づく画像を合成して表示する工程と、
を具備することを特徴とする撮像方法。
【請求項５】
撮像素子が被写体から受光した光に基づいて画像データを生成する撮像動作をコンピューターに実現させるための撮像プログラムであって、
上記撮像動作で生成された画像データを記憶部に書込む機能と、
上記撮像素子が受光した光に基づいた動画像を第１の表示部に表示する機能と、
上記記憶部から上記撮像動作で生成された画像データを読出す機能と、
第２の表示部に上記第１の表示部よりも大きく動画像を表示しつつ該第２の表示部に表示される動画像の外部に上記記憶部から読み出した画像データに基づく画像を合成して表示する工程と、
を具備することを特徴とする撮像プログラム。 
【発明の詳細な説明】
【技術分野】
【０００１】
本発明は、撮像装置、撮像方法および撮像プログラムに関し、特に、撮像素子が被写体から受光した光に基づいて画像データを生成する撮像動作を行う撮像装置、撮像方法および撮像プログラムに関する。
【背景技術】
【０００２】
特許文献１や特許文献２には、スルー画像を表示する画像表示領域の余白領域に撮影済み画像を縦列表示したり横列表示したりすることが記載されている。
【先行技術文献】
【特許文献】
【０００３】
【特許文献１】特開２００８−２９４７０５号公報
【特許文献２】特開２００５−２６０７９８号公報
【発明の概要】
【発明が解決しようとする課題】
【０００４】
従来のフィルム式カメラや一眼レフのデジタルスチルカメラ（ＤＳＣ）ではファインダーと呼ばれるのぞき窓から被写体を光学的に観察しつつピント調整やフレーミングを行っている。これに対し、近年、爆発的に普及してきたコンパクトタイプのＤＳＣでは、筐体の背面に設けられた液晶ディスプレイに表示されるスルー画像を見てフレーミングやピント調整を行うことが一般的である。
【０００５】
しかしながら、光学的なファインダー方式では視野率やパララックスといった問題が指摘されている。この問題を解決するために、ファインダーの内部に画像データを表示する小型の液晶ディスプレイを配置したＥＶＦ（Electronic View Finder）を備えたＤＳＣが販売され始めている。ＥＶＦは、従来の光学的なファインダーと同じく遮光されているため周囲の明るさに左右されずにファインダー像が見やすく、光学式のファインダーの問題点である視野率やパララックスといった問題がない。
【０００６】
このようなＥＶＦでは、撮像素子で周期的に被写体から受光した光に基づいて周期的に作成された画像データに基づき、ライブビュー画像が表示されている。利用者はこのライブビュー画像に基づいてピントやフレーミングを調整して撮像することになる。ただし、ＥＶＦには、撮像された画像が表示されないため、何らかの方法で撮像がうまくいったかどうかを確認するための手段が提供されることが望ましい。また、利用者が被写体を連続的に撮影したい場合を考慮すると、撮像がうまくいったかどうかを確認しつつ被写体の連続撮影を可能にする手段も提供されることが望ましい。
【０００７】
本発明は、上記課題に鑑みてなされたもので、２つの表示部を備えた撮像装置において撮像がうまくいったかどうかの確認と連続的な撮影とを両立できるようにすることを目的とする。
【課題を解決するための手段】
【０００８】
上記課題を解決するために、本発明にかかる撮像装置は、撮像素子が被写体から受光した光に基づいて画像データを生成する撮像動作を行う撮像装置に対し、第１の表示部と第２の表示部との２種類の表示部を備えさせている。第１の表示部と第２の表示部は双方とも画像データに基づく画像を表示するが、第１の表示部よりも第２の表示部の方が画像を大きく表示できるようになっている。すなわち、表示画面のサイズを第１の表示部に比べて第２の表示部の方が大きくなるように選択したり、表示画面の中で画像の表示に割当てられる領域を第１の表示部よりも第２の表示部の方が大きくなるように設定したりすることにより、第２の表示部の画像表示領域を第１の表示部の画像表示領域よりも大きくしてある。
【０００９】
また、上記撮像装置は、上記撮像動作によって生成された画像データを記憶部に読み書きする読書部を備えている。ここで言う記憶部は周期的に更新される一時的なバッファーメモリー等ではなく、利用者によって消去を指示する操作が無い限り記憶した画像データを消去しない種類の記憶媒体である。一般的には、不揮発性の記憶媒体が利用されることが多いが、むろん揮発性の記憶媒体でも構わない。また、上記記憶部は、着脱自在であってもよいし固定式であってもよい。
【００１０】
また、上記撮像装置は、上記第１の表示部や第２の表示部の表示を制御する表示制御部を備えている。上記表示制御部は、上記撮像素子が受光した光に基づいた動画像を上記第１の表示部に表示し、動画像の外部に上記記憶部から読み出した画像データに基づく画像を合成して上記第２の表示部に表示する。すなわち、上記表示制御部は、撮像素子が受光した光に基づいて動画像データを生成し、この動画像データに基づいて上記第１の表示部を駆動制御することにより上記第１の表示部に動画像を表示する。また、上記表示制御部は第２の表示部にも撮像素子が受光した光に基づいて生成した動画像データに基づいて上記第２の表示部を駆動制御することにより上記第２の表示部に動画像を表示する。
【００１１】
さらに、表示制御部は上記記憶部から画像データを読み出し、この画像データに基づく画像を上記第２の表示部に表示する動画像の外部に合成する。上記第２の表示部には、動画像を表示するための領域が設定されており、その外部に他の画像を表示可能な余剰領域が存在する。この余剰領域が、動画像の外部に相当する。このように動画像の外部に表示された画像は、動画像を観察するときの邪魔にならないため、動画像のピントやフレーミングの検討がしやすくなる。
【００１２】
以上のように、２つの表示部を用意し、一方では撮像素子から得られる被写体の動画像のみを表示し、他方では撮像素子から得られる被写体の動画像とともに該動画像と重複しない位置に撮影済みの画像を表示している。よって、撮影済みの画像を確認しながら撮影したいか否か、表示画像の表示サイズが大きい方がよいか否か、周囲の明るさに影響されない画面がよいか否か、などの各々の判断基準に基づいて利用する表示部を選択できる。さらに、何れの表示部にも撮像素子から得られる被写体の動画像が表示されているため、利用する表示部を変更しても連続的な撮影は継続できる。
【００１３】
本発明の選択的な一態様として、上記第２の表示部は上記第１の表示部よりも縦横比が横長であり、上記表示制御部は、上記動画像の左右少なくとも一方の外部に上記記憶部から読み出した画像データに基づく画像を合成して上記第２の表示部に表示する構成としてもよい。該構成においては、上記第１の表示部の縦横比と上記第２の表示部の縦横比との関係に基づいて、上記余剰領域を設ける部位を決定している。例えば、上記第２の表示部が上記第１の表示部よりも横長であって同一の画像データに基づいて第１の表示部の画面と同様の表示を同一の縦横比で上記第２の表示部に行えば、必然的に、第２の表示部には左右のどちらかもしくは双方に余剰領域が発生する。本態様では、この余剰領域を上記外部としている。よって、第２の表示部において上記動画像の表示に不要な領域を撮像済みの画像を表示するために活用することが出来る。
【００１４】
本発明の選択的な一態様として、上記第２の表示部は上記第１の表示部よりも縦横比が縦長であり、上記表示制御部は、上記動画像の上下少なくとも一方の外部に上記記憶部から読み出した画像データに基づく画像を合成して上記第２の表示部に表示する構成としてもよい。該構成でおいても、上記第１の表示部の縦横比と上記第２の表示部の縦横比との関係に基づいて、上記余剰領域を設ける部位を決定している。例えば、上記第２の表示部が上記第１の表示部よりも縦長であって同一の画像データに基づいて第１の表示部の画面と同様の表示を同一の縦横比で上記第２の表示部に行えば、必然的に、第２の表示部には上下のいずれかもしくは一方に余剰領域が発生する。本態様では、この余剰領域を上記外部としている。よって、第２の表示部において上記動画像の表示に不要な領域を撮像済みの画像を表示するために活用することが出来る。
【００１５】
なお、上述した撮像装置は、他の機器に組み込まれた状態で実施されたり他の方法とともに実施されたりする等の各種の態様を含む。また、本発明は上記撮像装置を備える撮像システム、上述した装置の構成に対応した工程を有する撮像方法、上述した装置の構成に対応した機能をコンピューターに実現させる撮像プログラム、該プログラムを記録したコンピューター読み取り可能な記録媒体、等としても実現可能である。これら撮像システム、撮像方法、撮像プログラム、該プログラムを記録した媒体、の発明も、上述した作用、効果を奏する。むろん、請求項２，３に記載した構成も、前記システムや前記方法や前記プログラムや前記記録媒体に適用可能である。
【図面の簡単な説明】
【００１６】
【図１】本実施形態の構成を示すブロック図である。
【図２】プレビュー動作中のデータの流れを示す説明図である
【図３】過去画像表示領域と画像表示領域の位置関係を説明する図である。
【図４】過去画像の更新処理の流れを示すフローチャートである。
【図５】変形例におけるプレビュー動作中のデータの流れを示す説明図である。
【図６】変形例におけるプレビュー画面の一例である。
【発明を実施するための形態】
【００１７】
以下、下記の順序に従って本発明の実施形態を説明する。
（１）本実施形態の構成：
（２）各表示部における画像表示：
（３）過去画像の更新処理：
（４）変形例：
（５）まとめ：
【００１８】
（１）本実施形態の構成： 
本実施形態の撮像装置は、第１表示部と第２表示部とを備えており、第１表示部には撮像素子で撮像される画像をリアルタイムで動画像として表示し、第２表示部には所定の画像表示領域にライブビュー画像を表示しつつ画像表示領域の外部に形成された記録済み画像表示領域に撮影済みの画像を表示する。そのために本実施形態の撮像装置は、以下の構成を備えている。なお、以下の説明において、上記撮像素子で撮像される画像をリアルタイムで表示する動画像をライブビュー画像とよび、ライブビュー画像を表示することをプレビューと呼ぶことにする。また、第２表示部においてライブビュー画像を表示する所定の画像表示領域をライブビュー画像表示領域と呼ぶことにする。
【００１９】
図１は、本実施形態の構成を示すブロック図である。同図に示すように、本実施形態にかかる撮像装置１００はデジタルスチルカメラの構成としてあり、撮像素子１０と、表示制御部２０と、第１表示部３０、第２表示部４０と、記憶部５０と、操作部６０と、圧縮伸張部７０とを備えている。撮像装置１００は、撮像素子が被写体から受光した光に基づいて動画像データを生成し、操作部６０に対して行われる操作に応じて動画像データに基づくライブビュー画像を第１表示部や第２表示部に表示させたり、撮像素子１０が被写体から受光した光に基づいて作成される画像データや動画像データを記憶部５０に記憶させたりする。
【００２０】
撮像素子１０は、受光面の受光量に応じた画像を表す電気信号を出力するものであり、例えば、ＣＣＤやＣＭＯＳで構成することができる。受光面と被写体の間にはレンズ群や絞り等によって構成された不図示の光学系が配置されている。レンズ群や絞りは不図示の駆動機構によってレンズ位置や絞り量を調整することが可能であり、表示制御部２０は駆動機構を制御することによって撮像素子１０の受光面に投射される光学像の明るさを調整したり光学像のピントを調整して結像させたりすることができる。
【００２１】
上記撮像素子１０の一例として、単板式の撮像素子であるＣＣＤイメージセンサーではカラー画像信号を作成するための色フィルタが光電変換素子の受光面にそれぞれ設けてある。色フィルタにはＲ（レッド）Ｇ（グリーン）Ｂ（ブルー）の原色フィルタやＣ（シアン）Ｍ（マゼンタ）Ｙ（イエロー）Ｇ（グリーン）の補色フィルタがあり、光電変換素子の受光面に市松模様配列等で設けることによりカラー画像情報を取り込むことが出来るようになっている。本実施形態では前者の原色フィルタが設けられている場合を例にとって説明することにする。なお、色フィルタや撮像素子を構成する光電変換素子の配置は格子状やハニカム状など様々な配置を採用可能である。
【００２２】
以上のようにして撮像素子１０で周期的に生成された電気信号に基づいて、表示制御部２０は画像データＤ１を周期的に生成して第１表示部３０や第２表示部４０に出力する。そのために表示制御部２０は、画像処理部２１と画像コントローラー２２とＶＲＡＭ２３とＶＲＡＭ２４とを備えている。
【００２３】
画像処理部２１は、撮像素子１０から入力された画像信号に対して各種画像処理を行うものであり、本実施形態では、アナログフロントエンド（ＡＥＦ）、デモザイク部、リニアマトリックス部、シャープネス処理部、ガンマ補正部、を備えている。ＡＥＦは撮像素子から入力される電気信号を量子化してデジタル画像信号に変換するＡ／Ｄ変換を行う。デモザイク部は、単板式の撮像素子から得られたカラー画像信号において各画素で欠落している色成分を周辺画素の画素値にもとづいて補完することにより、１つの画素に対して複数色の情報を持たせるいわゆるデモザイク処理を行う。リニアマトリックス部は、入力ＲＧＢ信号に対して３×３のマトリックス係数を掛ける行列演算処理によりディスプレイで再現したときに好ましい色再現となるＲＧＢ信号を出力する色再現処理やノイズ除去処理を行う。ガンマ補正部は、特定のガンマ特性を有したディスプレイにおいて正しい階調特性で表示されるようにＲＧＢ信号にガンマ補正を行う。以上の各部において撮像素子１０から入力された画像信号に上記各種処理を適宜行われて作成された画像データＤ１を、画像処理部２１は画像コントローラー２２に出力する。
【００２４】
画像コントローラー２２は、画像データＤ１に基づいて作成した表示用画像データＤ２をＶＲＡＭ２３に記憶する。表示用画像データＤ２は、画像データＤ１に対してアスペクト比や画素数を変換して拡大や縮小することにより、第１表示部３０のアスペクト比や画素数に適合するように変換された画像データである。また画像コントローラー２２は、画像データＤ１に基づいて作成した表示用画像データＤ３をＶＲＡＭ２５に記憶する。表示用画像データＤ３は、アスペクト比や画素数を変換して拡大や縮小することにより、第２表示部４０のアスペクト比や画素数に適合するように変換された画像データである。
【００２５】
表示用画像データＤ２，Ｄ３は、プレビューされている間は周期的に（所定のフレームレートで）作成されており、新たに作成された画像データでＶＲＡＭ２３，２４は周期的に更新されている。そのために、撮像素子１０は周期的に撮像を行っており、周期的に撮像された画像信号に基づいて画像処理部２１は周期的に新たな画像データＤ１を作成している。このように、周期的に作成された表示用画像データＤ２，Ｄ３は例えばＮＴＳＣ（National Television System Committee）方式の動画像データの１フレームになっている。また、周期的に作成される画像データＤ１も動画像データと言える。
このように動画像データに基づくプレビューされている間に、利用者は撮像する画像の構図やピントなどを調整する。そして、利用者が操作部６０のシャッターボタンを操作するなどして撮像を指示するといったんプレビューは停止されて、画像データＤ１を記憶部５０に記憶する処理が行われる。
【００２６】
第１表示部３０は液晶パネル３１と第１表示制御回路３２を備えており、第１表示制御回路３２は表示制御部２０から入力された（もしくはＶＲＡＭ２３から取得した）表示用画像データＤ２に基づいて液晶パネル３１の表示動作を制御する。また、第２表示部４０は、液晶パネル４１と第２表示制御回路４２を備えており、表示制御部２０から入力された（もしくはＶＲＡＭ２４，２６から取得した）画像データに基づいて液晶パネル４１の表示動作を制御する。なお、本実施形態では第１表示部３０と第２表示部４０を液晶ディスプレイとしてあるが、むろん有機ＥＬ（Electro Luminescence）ディスプレイ、ブラウン管ディスプレイ、プラズマディスプレイ等の表示装置で構成することもできる。
【００２７】
本実施形態の第１表示部３０は画像の構図やピントを確認するために用いられるのぞき窓（ファインダー）の内部に設けられるＥＶＦ（Electric View Finder）であり、表示用画像データＤ２に基づく画像を表示する。第１表示部３０は、データ処理による遅延等はあるものの光学系から入力される光学像に対応する画像をほぼリアルタイムに表示する。むろん、第１表示部３０としてはＥＶＦに限るものではなく、他の用途を目的として設けられたサブディスプレイであっても本発明の範囲内である。
また、本実施形態の第２表示部４０は撮像装置１００の筐体表面に設けられており、第１表示部３０と同様に光学像に対応する画像をほぼリアルタイムに表示したり、記憶部５０に記憶されている画像データに基づく画像を表示したり、撮像装置１００の各種設定を行うメニュー画面を表示したりする。このように広範な目的に利用されるため、第２表示部４０は第１表示部３０よりも大きく形成されている。
【００２８】
以上のように構成された第１表示部３０や第２表示部４０のプレビューを確認しつつ利用者が撮影する画像の構図を決定してシャッターボタンを押すと、画像データＤ１が圧縮伸張部７０に出力される。このとき圧縮伸張部７０に出力される画像データＤ１は、シャッターボタンが押されてから撮像素子１０で撮像された画像信号に基づいて作成された画像データであってもよいし、シャッターボタンが押されたときに表示制御部２０で作成済みの画像データＤ１であってもよい。またシャッターボタンが押されたときに表示制御部２０でデモザイク処理を行う前のいわゆるＲＡＷデータを記憶部５０に記憶させてもよい。ＲＡＷデータを記憶する場合は、表示制御部２０はＡ／Ｄ変換直後のＲＡＷデータを圧縮伸張部７０を介さずに記憶部５０に出力する。
【００２９】
圧縮伸張部７０は画像処理部２１から出力される画像データを圧縮して圧縮画像データを生成する。圧縮形式は非可逆圧縮ＪＰＥＧ形式や非可逆圧縮ＴＩＦＦ形式のように非可逆圧縮であってもよいし、ＰＮＧ形式や可逆圧縮ＪＰＥＧ形式や可逆圧縮ＴＩＦＦ形式のように可逆圧縮であってもよい。また、圧縮伸張部７０は画像データを圧縮せずにビットマップ形式で出力してもよい。このようにして作成された圧縮画像データは記憶部５０に出力される。
また、圧縮伸張部７０は圧縮されている画像データを伸張することができる。圧縮伸張部７０は、圧縮画像データを入力されると圧縮画像データを伸張した画像データを表示制御部２０に出力する。
【００３０】
記憶部５０は、例えば、リムーバブルメモリー（着脱可能な記憶媒体）を接続するためのカードスロット（着脱口）や接続されたリムーバブルメモリーに対するデータ読み書きを制御するインターフェースとして機能するメモリーコントローラーを備える。むろん、記憶部５０は着脱できない固定式の記憶媒体で構成してもよい。
記憶部５０は圧縮伸張部７０の出力する圧縮画像データやＡＥＦから出力されるＲＡＷデータ等の画像データをリムーバブルメモリーに記憶する。また、記憶部５０はリムーバブルメモリーに記憶されている画像データを読み出して表示制御部２０や圧縮伸張部７０に出力する。なお、本実施形態においては、記憶部５０のメモリーコントローラーや後述のドライバープログラムを実行する制御部２７が読書部を構成することになる。
【００３１】
また、表示制御部２０は、記憶部５０に記憶されている画像データＲＤａ，ＲＤｂ，ＲＤｃ，・・・に基づく画像や動画像を第２表示部４０に表示させることもできる。そのために、表示制御部２０は、画像コントローラー２５とＶＲＡＭ２６を備えている。
表示制御部２０は、記憶部５０に記憶されている画像データを読出して画像コントローラー２５に入力する。また、表示制御部２０は、記憶部５０の画像データが圧縮されている場合は、記憶部５０から読出した画像データをいったん圧縮伸張部７０で伸張させてから画像コントローラー２５に入力する。画像コントローラー２５は入力された画像データに基づいて作成した表示用画像データＤ３をＶＲＡＭ２６に記憶する。そして、第２表示制御回路４２は、ＶＲＡＭ２６に記憶された表示用画像データＤ３が入力されると（もしくは取得すると）、表示用画像データＤ３に基づいて液晶パネル４１に画像を表示する。このように、ライブビュー画像の表示に利用するための画像コントローラー２２やＶＲＡＭ２３，２４とは別個に、撮影済み画像の表示に利用するための画像コントローラー２５とＶＲＡＭ２６を設けているため、後述のようにライブビュー画像と撮影済み画像とを同時に第２表示部４０に表示することができる。
【００３２】
以上の各部を制御する表示制御部２０は、所定のプログラムに従って撮像装置１００の全体を制御する制御部２７が制御主体となっている。制御部２７は、例えば、通信バスで互いに接続されたＣＰＵ２７ａ（演算処理部）とＲＡＭ２７ｂ（揮発性の半導体メモリー）とフラッシュメモリー２７ｃ（不揮発性の半導体メモリー）で構成することができる。ＣＰＵ２７ａは、ＲＡＭ２７ｂをワークエリアとして利用しつつフラッシュメモリー２７ｃに記憶されている撮像プログラムを実行する。撮像プログラムには、撮像装置１００の各部を制御するためのドライバープログラムを含んで構成されており、撮像プログラムが実行されることにより制御部２７はＤＳＣ１００の全体の動作を制御することができる。
【００３３】
また、制御部２７に対して各種の操作入力を行うための操作部６０は、ボタンやスイッチやダイヤル等の操作入力手段を備えている。利用者は、これら操作入力手段に対して所定の操作を行うことにより操作に応じた制御信号を制御部２７に入力し、制御部２７は制御信号に応じた制御処理を実行することになる。
【００３４】
（２）各表示部における画像表示： 
以上の構成において、撮影済み画像とライブビュー画像とを第２表示部４０に同時に表示する際のデータの流れについて説明する。図２は、プレビュー動作中のデータの流れを示す説明図であり、図３は各表示部での表示レイアウトを説明する図である。
【００３５】
図２に示すように、画像コントローラー２２は、ライブビュー画像の画像データＤ１に基づいて作成した表示用画像データＤ２をＶＲＡＭ２３に記憶させる。表示用画像データＤ２は、第１表示部３０の画面サイズに全体に表示されるようにアスペクト比（横方向の長さ：縦方向の長さ）と画素数とを変換した画像データである。なお、画面サイズとは、液晶パネル３１のサイズではなく、液晶パネル３１の中の画像表示が可能な領域のサイズのことである。また画像コントローラー２２は、ライブビュー画像の画像データＤ１に基づいて表示用画像データＤ３をＶＲＡＭ２４に記憶させる。表示用画像データＤ３は、第２表示部３０のライブビュー画像表示領域のサイズに適合するようにアスペクト比と画素数とを変換した画像データである。第２表示部３０には、その一部にライブビュー画像表示領域が設定され、画像表示領域を含まない他の一部の領域が撮影済み画像の表示領域（以下、過去画像表示領域と記載する）に設定されている。ここで、第１表示部３０の画面とライブビュー画像表示領域のアスペクト比は同一である。また、第１表示部３０の画面とライブビュー画像表示領域のアスペクト比は画像データＤ１のアスペクト比とも同一とし、アスペクト比を変換しなくても良いことが望ましい。
【００３６】
他方、画像コントローラー２５は、記憶部５０から読み出された画像データに基づいて作成した表示用画像データＲＤ２をＶＲＡＭ２６に記憶させる。画像コントローラー２５は、撮像の新しい画像データから順に過去画像表示領域に表示する数の画像データを読出して、読み出した画像を並べて合成し、過去画像表示領域に表示するための表示用画像データＲＤ２を作成する。過去画像表示領域に表示する数は、予め過去画像表示領域のサイズに合わせて設定されているかユーザーによって設定されている。本実施形態では過去画像表示領域に表示する数を３とする。また、記憶部５０に記憶されている画像データＲＤａ，ＲＤｂ，ＲＤｃ，・・・は、ファイル名と撮像時刻情報（Ｅｘｉｆ（Exchangeable image file format）の撮影時刻やファイルのタイムスタンプなど）とを備えているおり、画像コントローラー２５は各画像データの撮像時刻に基づいて撮像の新しさを判断することができる。なお、画像コントローラー２５が読み出す画像データは本画像であっても良いが、処理を高速化するためにサムネイル画像であることが望ましい。
【００３７】
図３に示すように、本実施形態では第２表示部４０のライブビュー画像表示領域を除いた残りの余剰領域を、過去画像表示領域としてある。過去画像表示領域には、過去画像を表示するための過去画像表示枠が３つ設定されている。画像コントローラー２５は、各画像データを過去画像表示枠のサイズに適合するように縮小し、撮影時刻が新しい物ほど上の過去画像表示枠の位置に画像が表示されるように記憶部５０から読み出された画像データを合成している。このようにして合成された画像データが表示用画像データＲＤ２となりＶＲＡＭ２６に記憶される。そして、画像合成回路４２ａがライブビュー画像の画像データである表示用画像データＤ３と表示用画像データＲＤ２とを合成して合成データＭＤを作成し、第２制御回路４２が第２表示部に合成データＭＤを表示させる。これによって、ライブビュー画像表示領域にライブビュー画像が表示され、ライブビュー画像表示領域の隣の過去画像の表示範囲に、記憶部５０から取得された画像データに基づく画像が表示される。
【００３８】
次に画面サイズとライブビュー画像表示領域との関係について説明する。図３（ａ）に示すように、第１表示部３０のアスペクト比が４：３であって第２表示部４０のアスペクト比が１６：９の場合は、ライブビュー画像表示領域の左側もしくは右側もしくは左右両側に過去画像表示領域が設けられる。すなわち、図３（ａ）では、第２表示部４０が第１表示部３０よりも横長であり、第１表示部３０の画面サイズと同じアスペクト比のライブビュー画像表示領域の右に形成されるアスペクト比９：４のブランク領域が過去画像表示領域となり、ここに過去画像が表示されることになる。この縦長のブランク領域には、過去画像が縦列表示される。
【００３９】
また図３（ｂ）に示すように、例えば、第１表示部３０のアスペクト比が１６：９であって第２表示部４０のアスペクト比が４：３の場合は、ライブビュー画像表示領域の上側もしくは下側もしくは上下両側に過去画像表示領域が設けられる。すなわち、図３（ｂ）の場合は、第２表示部４０が第１表示部３０よりも縦長であり、第１表示部３０の画面サイズと同じアスペクト比のライブビュー画像表示領域の下に形成されるアスペクト比３：１６のブランク領域が過去画像表示領域となり、ここに過去画像が表示されることになる。この横長のブランク領域には、過去画像が横列表示される。
【００４０】
以上のように、ＶＲＡＭ２３，２４，２６に記憶された表示用画像データを利用して、各表示部に画像が表示される。
まず、第１表示部３０の第１表示制御回路３２は、ＶＲＡＭ２３から取得した表示用画像データＤ２に基づいて液晶パネル３１を駆動する。すると、第１表示部３０の全画面に画像データＤ１に基づいた画像が表示される。
次に、第２表示部４０の第２表示制御回路４２は、画像合成回路４２ａを備えている。画像合成回路４２ａには、ＶＲＡＭ２４の表示用画像データＤ３とＶＲＡＭ２６の表示用画像データＲＤ２とを取得もしくは入力されており、これらを合成して合成データＭＤを生成する。第２表示制御回路４２は、このようにして生成した合成データＭＤに基づいて液晶パネル４１を駆動する。すると、第２表示部４０の画像表示領域には画像データＤ１に基づいた画像が表示されるとともに、過去画像表示領域には撮影の新しい画像が複数表示される。よって、利用者は、第２表示部４０の画面で、撮影済みの画像の確認と次に撮影する画像の構図の検討を同時に行うことができる。
【００４１】
（３）過去画像の更新処理： 
以上のようにしてＶＲＡＭ２６に記憶された表示用画像データＲＤ２は、リアルタイムで更新する必要が無いため、所定のタイミングで更新する処理が行われる。図４は、表示用画像データＲＤ２の更新タイミングを決定するための過去画像の更新処理の流れを示すフローチャートである。この過去画像の更新処理は、上述のライブビュー画像が表示されている間に制御部２７によって周期的に実行されている。なお、過去画像の表示を望まない利用者もいることから、以下に説明する処理では過去画像の表示と非表示とを切換え可能にしてある。
【００４２】
処理が開始されると、ステップＳ１００においてモード変更（過去画像の表示／非表示の切換え）が行われたか否かを判断する。過去画像の表示／非表示は、フラッシュメモリー２７ｃに記憶されている過去画像の表示／非表示を示す設定値によって決定される。この設定値は、操作部６０に利用者が所定の操作を行うことにより変更することができる。制御部２７は、この設定値を変更する操作が行われると、過去画像の表示／非表示が切換えられたものと検知することができる。そして、過去画像の表示／非表示が切換えられた場合はステップＳ１１０に進み（Ｓ１００：Ｙｅｓ）、切換えられていない場合はＳ１３０に進む（Ｓ１００：Ｎｏ）。
【００４３】
ステップＳ１１０では、モード変更によって過去画像を表示するように切り換わったか否かを判断する。この判断は、フラッシュメモリー２７ｃの設定値によって判断できる。過去画像を表示するように切換えられたのであればステップＳ１２０に進み（Ｓ１１０：Ｙｅｓ）、過去画像を表示しないように切換えられたのであればステップＳ１１５に進み（Ｓ１１０：Ｎｏ）、ステップＳ１１５でＶＲＡＭ２６の表示用画像データＲＤ３をクリアもしくはブランクデータを書込んでからステップＳ１００に戻る。
【００４４】
ステップＳ１２０では、過去画像の表示を表示制御部２０に行わせる。すなわち、記憶部５０に記憶されている画像データの中から直近に撮影された複数の画像データを取得し、これらの画像データに基づいて表示用画像データＤ３を生成し、ＶＲＡＭ２６に記憶する。すると、第２表示部４０には過去画像表示領域に過去画像が表示されるようになる。
【００４５】
ステップＳ１３０では、撮像した画像を記憶部５０に記憶させる処理が行われたか否かを判断する。新たな画像が記憶部５０に記憶されると、記憶部５０における直近に撮影された画像データが入れ替わるからである。新たな画像が記憶部５０に記憶された場合はステップＳ１２０に戻り（Ｓ１３０：Ｙｅｓ）、新たな画像が記憶部５０に記憶されていない場合はステップＳ１４０に進む（Ｓ１３０：Ｎｏ）。
【００４６】
ステップＳ１４０では、撮影されて記憶部５０に記憶されていた画像データのいずれかが削除されたか否かを判断する。記憶部５０の画像データが削除されると、記憶部５０における直近に撮影された画像データが入れ替わる可能性があるからである。画像データの削除があった場合にはステップＳ１２０に戻り（Ｓ１４０：Ｙｅｓ）、画像データの削除が無かった場合はステップＳ１００に戻る（Ｓ１４０：Ｎｏ）。
以上の処理により、利用者は過去画像の表示／非表示を適宜変更出来るようになり、さらに過去画像表示領域に表示される過去画像が確実に直近の過去画像になるように制御されることになる。
【００４７】
（４）変形例：
上述した実施形態では、画像と過去画像とを同時に表示する例について説明したが、これに加えて撮像する画像の生成条件情報を一緒に表示するようにしてもよい。図５は変形例におけるプレビュー動作中のデータの流れを示す説明図である。
図５に示すように、本変形例ではＯＳＤデータを記憶するためのＶＲＡＭ２８を設けてある。制御部２７は、現在の撮像装置１００における生成条件情報（撮像モードや絞り値やシャッター速度等の撮像時の各種パラメーター）の設定値をフラッシュメモリー２７ｃに記憶している。制御部２７は、生成条件情報を表示するためのＯＳＤデータを生成し、ＶＲＡＭ２８に記憶させる。なお、ＯＳＤはオンスクリーンディスプレイの略であり、ＯＳＤデータとは画像データＤ１にオーバーレイ表示するための画像データである。また、過去画像の傍にその過去画像の生成条件情報が表示されるように画像データＲＤ２を作成し、第２表示部４０では、過去画像の傍にその過去画像の生成条件情報を表示させても良い。
【００４８】
図６は、本変形例におけるプレビュー画面の一例である。図６において、画像表示領域の縦サイズと横サイズはともに第２表示部４０の画面より小さく設定されている。そのため、画像表示領域の左右何れか少なくとも一方と上下何れか少なくとも一方とが余剰領域となる。図５では、画像表示領域を画面左上隅に寄せて形成しているため画像表示領域の右側と下側が余剰領域であり、右側を過去画像表示領域とし、下側をＯＳＤ表示領域としてある。むろん、下側を過去画像表示領域とし、右側をＯＳＤ表示領域としてもかまわない。このように、第２表示部４０に、動画像と重複しないように生成条件情報も表示することにより、利用者の利便性はさらに向上する。
【００４９】
（５）まとめ： 
以上説明したように本実施形態によれば、撮像素子１０が被写体から受光した光に基づいて画像データＤ１を生成する撮像動作を行う撮像装置において、画像データＤ１に基づく画像を表示する第１表示部３０と、画像データＤ１に基づく画像を第１表示部３０よりも大きく表示する第２表示部４０と、上記撮像動作で生成された画像データＤ１を記憶部５０に読み書きする制御部２７と、撮像素子１０が受光した光に基づいた動画像を第１表示部３０に表示し、動画像の外部に記憶部５０から読み出した画像データに基づく画像を合成して第２表示部４０に表示する表示制御部２０とを備える構成としてある。よって、２つの表示部を備えた撮像装置において、撮像がうまくいったかどうかの確認と連続的な撮影とを両立できるようになる。
【００５０】
なお、本発明は上述した実施形態や変形例に限られず、上述した実施形態および変形例の中で開示した各構成を相互に置換したり組み合わせを変更したりした構成、公知技術並びに上述した実施形態および変形例の中で開示した各構成を相互に置換したり組み合わせを変更したりした構成、等も含まれる。
【符号の説明】
【００５１】
１００…撮像装置、１０…撮像素子、２０…表示制御部、２１…画像処理部、２２…画像コントローラー、２３…ＶＲＡＭ、２４…ＶＲＡＭ、２５…画像コントローラー、２６…ＶＲＡＭ、２７…制御部、３０…第１表示部、３１…液晶パネル、３２…第１表示制御回路、４０…第２表示部、４１…液晶パネル、４２…第２表示制御回路、４２ａ…画像合成回路、５０…記憶部、６０…操作部、７０…圧縮伸張部、Ｄ１…画像データ、Ｄ２…表示用画像データ、Ｄ３…表示用画像データ、ＲＤ２…表示用画像データ、ＲＤａ，ＲＤｂ，ＲＤｃ…画像データ
【図１】
2011120060.tif 000003
【図２】
2011120060.tif 000004
【図３】
2011120060.tif 000005
【図４】
2011120060.tif 000006
【図５】
2011120060.tif 000007
【図６】
2011120060.tif 000008